(57)【要約】【課題】横幅の異なる種々の長尺敷物をロール巻きにして在庫しておく必要がなく、サイズの異なる種々の敷物に随時裁断して使用可能なイージーオーダー敷物を提供する。【解決手段】パイル１１を一定の間隔（Ｇ）で縦横に配列してベース地１２に係止して成り、パイル１１の根元１６がベース地１２と一体になっている敷物１３において、パイルの配列間隔（Ｓ）が粗い無パイルの仕切溝１４を一定の間隔（Ｌ）で縦横に設け、その縦横の仕切溝１４Ｆ・１４Ｗによってパイル面を縦横に複数のブロック１５ａ、１５ｂ、１５ｃ………に仕切る。縦横の仕切溝１４の間隔（Ｌ）は３０ｍｍ〜２１０ｍｍにする。仕切溝１４の溝底における溝幅（Ｓ）は、パイル長（ｈ）の２倍以下であり、且つ、５ｍｍ以上にする。ベース地１２は、パイルの根元１６を係止している基布１７と、その基布１７の裏面に積層された裏打材１８との複層構造にするとよい。【選択図】図２
2012040060.tif 000002
【特許請求の範囲】
【請求項１】
（ａ）  パイル（１１）を一定の間隔（Ｇ）で縦横に配列してベース地（１２）に係止して成る敷物（１３）において、
（ｂ）  そのパイル面に、パイル（１１）が一定の間隔（Ｇ）で配列されている縦横それぞれの方向に一定の間隔（Ｌ）をおいて、パイルの配列間隔（Ｓ）が粗くパイルが係止されていない無パイルの仕切溝（１４）が形成されており、
（ｃ）  その縦横の仕切溝（１４）の間隔（Ｌ）が３０ｍｍ〜２１０ｍｍであり、
（ｄ）  その仕切溝（１４Ｆ・１４Ｗ）によって、パイル面が縦横に複数のブロック（１５ａ、１５ｂ、１５ｃ………）に仕切られており、
（ｅ）  パイル（１１）の根元（１６）がベース地（１２）と一体になっているイージーオーダー敷物。
【請求項２】
ベース地（１２）の表面である仕切溝（１４）の溝底における溝幅（Ｓ）が、溝底であるベース地（１２）の表面からパイル（１１）の先端に至るパイル長（ｈ）の２倍以下であり、且つ、５ｍｍ以上である前掲請求項１に記載のイージーオーダー敷物。
【請求項３】
仕切溝（１４）において隣り合うブロックのパイルとブロックのパイルが、その隣り合うブロック間を仕切る仕切溝（１４）において、それらのブロックにパイルを形成しているパイル糸（２３・２５）によって接続されておらず、その仕切溝（１４）の溝底を構成しているベース地（１２）にパイル糸（２３・２５）が介在していない前掲請求項１と２の何れかに記載のイージーオーダー敷物。
【請求項４】
ベース地（１２）が、パイルの根元（１６）を係止している基布（１７）と、その基布（１７）の裏面に積層された裏打材（１８）との複層構造になっている前掲請求項１と２と３の何れかに記載のイージーオーダー敷物。
【請求項５】
仕切溝（１４）によってパイル面に仕切られるブロックが、縦横の寸法（Ｌ）が異なる数種類のブロック（１５Ａ・１５Ｂ・１５Ｃ………）によって構成されている前掲請求項１と２と３と４の何れかに記載のイージーオーダー敷物。
【発明の詳細な説明】
【技術分野】
【０００１】
本発明は、３帖物、４帖半物、６帖物、８帖物等の帖物敷物、室内床面の一部に置き敷きされるアクセントラグ、出入口に置き敷きされるダストコントロールマット、台所の水回りに置き敷きされる台所マット、浴室の出入口に置き敷きされるバスマット、室内床面に敷き詰められるタイルカーペット、食卓で使用されるコースター等のサイズの異なる種々の敷物に随時裁断して使用可能なイージーオーダー敷物に関するものである。
【背景技術】
【０００２】
ベース地にパイルが係止された敷物のパイル面にパイルの根元に向かって面取りテーパーを鋏等で直線的に付け、そのテーパー付き直線でパイル面を複数のブロックに仕切ることは公知である（例えば、特許文献１参照）。
【先行技術文献】
【特許文献】
【０００３】
【特許文献１】特開平１０−５７２２５号公報
【発明の概要】
【発明が解決しようとする課題】
【０００４】
上記公知の敷物では、パイル面がテーパー付き直線によって複数のブロックに仕切られており、複数枚のタイルカーペットを敷き詰めたかの如き観を呈するものの、そのパイルを係止しているベース地までもがテーパー付き直線に沿って裁断されている訳でもないので、その各ブロック間の境界が不鮮明になり、そのパイル面は立体感に欠ける。
【０００５】
そのパイル面でのテーパー付き直線に沿ってベース地をも裁断するときは、パイルの根元も裁断されることになり、そのベース地の裁断口からパイル糸が触れ出て、敷物全体の美観が損なわれる。
【０００６】
そこで、本発明は、帖物敷物やアクセントラグ、ダストコントロールマット、台所マット、バスマット、タイルカーペット等のサイズの異なる種々の敷物に随時裁断して使用可能であり、従って、横幅の異なる種々の長尺敷物をロール巻きにして在庫しておく必要がなく、在庫は広幅の長尺敷物だけで済み、そのベース地の裁断口からパイル糸が解れ出すことのないイージーオーダー敷物を提供することを目的とする。
【課題を解決するための手段】
【０００７】
本発明に係るイージーオーダー敷物１３は、（ａ）  パイル１１を一定の間隔（Ｇ）で縦横に配列してベース地１２に係止して成り、（ｂ）  そのパイル面に、パイル１１が一定の間隔（Ｇ）で配列されている縦横それぞれの方向に一定の間隔（Ｌ）をおいて、パイルの配列間隔（Ｓ）が粗くパイルが係止されていない無パイルの仕切溝１４が形成されており、（ｃ）  その縦横の仕切溝１４の間隔（Ｌ）が３０ｍｍ〜２１０ｍｍであり、（ｄ）  その仕切溝１４Ｆ・１４Ｗによって、パイル面が縦横に複数のブロック１５ａ、１５ｂ、１５ｃ………に仕切られており、（ｅ）  パイル１１の根元１６がベース地１２と一体になっていることを第１の特徴とする。
【０００８】
本発明に係るイージーオーダー敷物１３の第２の特徴は、前記第１の特徴に加えて、ベース地１２の表面である仕切溝１４の溝底における溝幅（Ｓ）が、溝底であるベース地１２の表面からパイル１１の先端に至るパイル長（ｈ）の２倍以下であり、且つ、５ｍｍ以上である点にある。
【０００９】
本発明に係るイージーオーダー敷物１３の第３の特徴は、前記第１と第２の何れかの特徴に加えて、仕切溝１４において隣り合うブロックのパイルとブロックのパイルが、その隣り合うブロック間を仕切る仕切溝１４において、それらのブロックにパイルを形成しているパイル糸（２３・２５）によって接続されておらず、その仕切溝１４の溝底を構成しているベース地１２にパイル糸（２３・２５）が介在していない点にある。
【００１０】
本発明に係るイージーオーダー敷物１３の第４の特徴は、前記第１と第２と第３の何れかの特徴に加えて、ベース地１２が、パイルの根元１６を係止している基布１７と、その基布１７の裏面に積層された裏打材１８との複層構造になっている点にある。
【００１１】
本発明に係るイージーオーダー敷物１３の第５の特徴は、仕切溝１４によってパイル面に仕切られるブロックが、縦横の寸法（Ｌ）が異なる数種類のブロック１５Ａ・１５Ｂ・１５Ｃ………によって構成されている点にある。
【発明の効果】
【００１２】
本発明によると、縦横にパイル面を複数のブロック１５ａ、１５ｂ、１５ｃ………に仕切る縦横の仕切溝１４の間隔（Ｌ）が３０ｍｍ〜２１０ｍｍになっているので、その仕切溝１４Ｆ・１４Ｗの間隔（Ｌ）の複数倍となる所要の距離をおく仕切溝１４ａ・１４ｂ・１４ｃ・１４ｄにおいてベース地１２を裁断し、複数のブロック１５ａ、１５ｂ、１５ｃ……によって構成される帖物敷物やアクセントラグ等の所要の寸法のマット２０を得ることが出来、その際、パイルの配列間隔（Ｓ）の粗い無パイルの仕切溝１４に沿って裁断ミスなく真っ直ぐ裁断することになり、パイル１１の根元１６がベース地１２と一体になっているので、ベース地１２の裁断口１９でのパイル繊維の解れ出しが回避される。
【００１３】
帖物敷物やアクセントラグ等の比較的サイズの大きい敷物の縦横の寸法は、仕切溝１４の間隔（Ｌ＝３０〜２１０ｍｍ）の略整数倍となる概して１５００〜２７００ｍｍであり、又、ダストコントロールマット、台所マット、バスマット等の比較的サイズの小さい敷物の縦横の寸法も、仕切溝１４の間隔（Ｌ＝３０〜２１０ｍｍ）の略整数倍となる概して４５０ｍｍ×７５０ｍｍや６００ｍｍ×１２００ｍｍであり、タイルカーペットの縦横の寸法も、仕切溝１４の間隔（Ｌ＝３０〜２１０ｍｍ）の略整数倍となる概して４５０ｍｍ×４５０ｍｍや６００ｍｍ×６００ｍｍ等の正方形になっており、極小サイズのコースターの縦横寸法も９０ｍｍ前後になっている。
このため、縦横の仕切溝１４の間隔（Ｌ）を３０ｍｍ〜２１０ｍｍにすると、大は帖物敷物やアクセントラグから小は台所マットやバスマットに至るまで、サイズの異なる種々のマット２０を、ロール巻きされた一つの敷物１３から仕切溝１４に沿って切り出すことが出来、その際、裁断箇所の位置決めをする必要がないので、効率的に裁断することが出来る。
【００１４】
従って、本発明によると、ロール巻きされた一つの敷物１３さえ在庫しておれば、需要に即応してサイズの異なる種々のマット２０を提供することが出来、そのマット２０のコストダウンを図ることが可能となる。
【００１５】
本発明では、仕切溝１４の溝底における溝幅（Ｓ）を５ｍｍ以上としたので、裁断時にカッターが仕切溝１４から受ける抵抗が少なく、仕切溝１４に沿ってカッターが走り易く、ベース地１２の裁断口１９が綺麗になる。
又、仕切溝１４の溝底における溝幅（Ｓ）をパイル長（ｈ）の２倍以下としたので、仕切溝１４の左右のパイルが倒れ込んで仕切溝１４の溝底がパイル面に露出し難く、その倒れ込んだ仕切溝左右のパイルによって、縦横の仕切溝１４Ｆ・１４Ｗによって描出される格子模様が、仕切溝１４に沿ってカービングが施されたかの如き美観を呈し、パイル面の外観の整ったイージーオーダー敷物１３が得られる。
【００１６】
そして、ベース地１２を、パイルの根元１６を係止する基布１７と、その基布１７の裏面に現れる根元１６を被覆する裏打材１８との複層構造にすると、ベース地１２の裁断口１９にパイルの根元１６の断面が現れるだけで、パイルの根元１６がベース地１２の裁断口１９に大きく現れることがなく、ベース地１２の裁断口１９でパイルの根元１６が擦られて綻び出ることもなくなる。
【００１７】
仕切溝１４において隣り合うブロックのパイルとブロックのパイルが、その隣り合うブロック間を仕切る仕切溝１４において、それらのパイルを形成しているパイル糸によって接続されておらず、その仕切溝１４の溝底を構成しているベース地１２にパイル糸が介在していなければ、ベース地１２の裁断口１９にパイルの根元１６が食み出ることもなく、ベース地１２の裁断口１９が綻び出ることはなくなる。
【００１８】
ベース地１２にパイル１１を係止して成る敷物１３において、そのパイル１１を係止するためにベース地１２の裏側に廻るパイル糸の裏浮き部分２４は、タフテッドパイル敷物では『バックステッチ』と称され、ウイルトンやアキスミンスターパイル敷物では『デットパイル』とか『沈み糸』と称される。
仕切溝１４において隣り合うブロック間（１５・１５）の溝底にパイル糸が介在していなければ、その仕切溝１４の溝底にはバックステッチ、デットパイル、沈み糸等と称されるパイル糸の裏浮き部分２４は介在せず、パイル糸の裏浮き部分２４の介在するブロック１５の内側部分と仕切溝１４の溝底との外観上の相違が敷物１３の裏面に顕現する。
従って、敷物１３を裏返ししてパイル面を下向きにし、敷物１３の裏面を表向きにし、そのパイル糸の裏浮き部分２４の有無によって敷物１３の裏面において仕切溝１４の位置決めをし、敷物１３の裏面にカッターを走らせ、仕切溝１４に沿って敷物１３を裁断することが出来る。
その裁断にはヒートカッターや超音波カッターが使用することが出来るが、そのようにパイル面にではなく裏面にカッターを走らせて裁断することになり、ヒートカッターや超音波カッターによってパイル面が熱溶融劣化することなく、又、敷物１３の裁断口においてパイル１１の上端を切り落とさずに済むので、その裁断口が綺麗に仕上がる。
【００１９】
本発明に係るイージーオーダー敷物１３では、パイル面に仕切られるブロックが縦横の寸法（Ｌ）が異なる数種類のブロック１５Ａ・１５Ｂ・１５Ｃ………によって構成されており、その単位ブロック１５Ｍの縦横の寸法Ｌが３０ｍｍであっても、縦横の寸法Ｌが２１０ｍｍのブロック１５も介在するので、パイル面が細かく仕切られた端切れのイメージを与えず、単位ブロック１５Ｍの縦横の寸法Ｌが３０ｍｍとなることから、縦横の寸法に２０ｍｍ前後過不足が生じるとしても概ね所要の寸法のマット２０の需要に応えることが出来る。
【図面の簡単な説明】
【００２０】
【図１】本発明に係るイージーオーダー敷物から裁断されたマットの斜視図である。
【図２】本発明に係るイージーオーダー敷物の一部断面図である。
【図３】本発明に係るイージーオーダー敷物の一部平面図である。
【図４】図３に示すイージーオーダー敷物から裁断されたマットの平面図である。
【図５】本発明に係るイージーオーダー敷物の製造過程での要部拡大断面図である。
【図６】本発明に係るイージーオーダー敷物の製造過程での要部拡大断面図である。
【図７】本発明に係るイージーオーダー敷物の一部平面図である。
【発明を実施するための形態】
【００２１】
敷物１３は、タフテッド機やウイルトン織機、アキスミンスター織機等によって製造することが出来る。
タフテッド機による場合は、基布１７にパイル糸をニードルによって差し込んでパイル１１が植設され、ウイルトン織機とアキスミンスター織機による場合は、地経糸２１と地緯糸２２によって織成される過程のベース地１２にパイル糸２３を織り込んでパイル１１が植設される。
図５と図６に円で囲んで拡大して示す敷物１３の要部拡大断面図には、ダブルウイルトン織機によって製造される敷物１３におけるパイル糸の『デットパイル』とか『沈み糸』と称される裏浮き部分２４が図示されている。
【００２２】
多くの場合、パイル間の間隔Ｇは、１吋（インチ）間、つまり２５．４ｍｍ間隔内にパイル列が何列植設されるかによって設定され、５吋間に６４列植設されたパイル列間の間隔Ｇは５／６４吋ゲージと称され、１吋間に１０列植設されたパイル列間の間隔Ｇは１／１０吋ゲージと称され、５吋間に３２列植設されたパイル列間の間隔Ｇは５／３２吋ゲージと称される。
５／６４吋ゲージのパイル列間の間隔Ｇは１．９８ｍｍとなり、その５／６４吋ゲージで植設されている何れか１列のパイルを取り除いて形成される仕切溝１４の溝幅Ｓは３．９６ｍｍとなる。
１／１０吋ゲージのパイル列間の間隔Ｇは２．５４ｍｍとなり、その１／１０吋ゲージで植設されている何れか１列のパイルを取り除いて形成される仕切溝１４の溝幅Ｓは５．０８ｍｍとなる。
５／３２吋ゲージのパイル列間の間隔Ｇは３．９７ｍｍとなり、その５／３２吋ゲージで植設されている何れか１列のパイルを取り除いて形成される仕切溝１４の溝幅Ｓは７．９４ｍｍとなる。
多くの場合、パイル長ｈは、６〜１５ｍｍに設定されている。
従って、仕切溝１４の溝幅Ｓを５ｍｍ以上でパイル長ｈの２倍以下にすると言うことは、パイル列間の間隔Ｇが５／６４吋ゲージの敷物では２〜１４列のパイルを取り除いて仕切溝１４が形成されることを意味し、パイル列間の間隔Ｇが１／１０吋ゲージの敷物では１〜１１列のパイルを取り除いて仕切溝１４が形成されることを意味し、パイル列間の間隔Ｇが５／３２吋ゲージの敷物では１〜７列のパイルを取り除いて仕切溝１４が形成されることを意味する。
【００２３】
ベース地を複層構造にするためには、パイル１１の植設された基布１７の裏面に熱可塑性合成樹脂を塗布し、或いは、その塗布時に熱可塑性合成樹脂の塗布層の上に裏材を積層して裏打材１８を裏打形成する。
【００２４】
仕切溝１４に沿った敷物１３の裁断は、ヒートカッターや超音波カッターで行うとよい。
ヒートカッターを使用する場合、ベース地１２は熱可塑性資材によって、例えば、ヒートカッターによって熱溶融し得る熱可塑性繊維に成る基布１７や熱可塑性樹脂に成る裏打材１８によってベース地１２を構成する。
超音波カッターを使用する場合、麻や綿等の非熱可塑性資材と熱可塑性資材を混用してベース地１２を構成することが出来る。
【００２５】
仕切溝１４を間に挟んで隣り合うブロック１５とブロック１５の間ではパイル糸が連続しないようにパイルを植設するとよい。
例えば、敷物１３の幅方向において仕切溝１４Ｆを間に挟んで左右隣り合うブロック１５とブロック１５の間でパイル糸が連続しないようにするためには、その左右隣り合うブロック１５とブロック１５の間にパイルの植設過程でパイル糸を介在させない。
【００２６】
敷物１３の織成方向において仕切溝１４Ｆを間に挟んで前後隣り合うブロック１５とブロック１５の間でパイル糸（２３・２５）が連続しないようにするためには、例えば、タフテッド機によって敷物１３を製造する場合、その隣り合うブロック間においてパイル糸（２３・２５）をルーパーとナイフで切断すればよい。
【００２７】
シングルウイルトン織機によって敷物１３を製造する場合、敷物１３の織成方向において仕切溝１４Ｆを間に挟んで前後隣り合うブロック１５とブロック１５の間でパイル糸をベース地に織り込まず、ベース地１２の上にパイル糸（２３）を浮き上がらせ、その浮き上がったパイル糸を前後隣り合うブロック１５とブロック１５の間で切断して除去し、或いは、前後隣り合うブロック１５とブロック１５の間でパイル糸をベース地の裏面に浮き出させ、その浮き出たパイル糸（２５）を前後隣り合うブロックのベース地から引き抜いて除去する。
【００２８】
ダブルウイルトン織機によって敷物１３を製造する場合、図５に図示するように、敷物１３の織成方向において仕切溝１４Ｆを間に挟んで前後隣り合うブロック１５とブロック１５の間でパイル糸２３をベース地に織り込まず、上側地経糸２１ａと上側地緯糸２２ａによって織成される上側ベース地１２ａと、上側地経糸２１ｂと上側地緯糸２２ｂによって織成される下側ベース地１２ｂの間にパイル糸２３を浮き出させ、上側ベース地１２ａと下側ベース地１２ｂの間を連結しているパイル糸を切断してカットパイルにするセンターカット時に、その前後隣り合うブロック１５とブロック１５の間で続くパイル糸２３をも切断してカットパイル１１にする。
或いは、図６に図示するように、敷物１３の織成方向において仕切溝１４Ｆを間に挟んで前後隣り合うブロック１５とブロック１５の間でパイル糸２５をベース地に織り込まず、上側地経糸２１ａと上側地緯糸２２ａによって織成される上側ベース地１２ａ、又は、上側地経糸２１ｂと上側地緯糸２２ｂによって織成される下側ベース地１２ｂの何れかのベース地１２の裏面に浮き出させ、上側ベース地１２ａと下側ベース地１２ｂの間を連結しているパイル糸を切断してカットパイル１１にするセンターカット後に、その裏面に浮き出たパイル糸２５を、その浮き出たパイル糸２５の前後両端に続くカットパイル片１１ｐ・１１ｑと共にベース地１２から引き抜いて除去する。
【００２９】
タフテッド機、シングルウイルトン織機、ダブルウイルトン織機の何れによって製造される敷物１３であっても、敷物１３の織幅方向において左右隣り合うブロック１５とブロック１５の間の仕切溝１４Ｗにパイル糸が介在せず、その織幅方向において左右隣り合うブロック１５とブロック１５の間でパイル糸が連続しないようにするためには、その敷物１３の織幅方向を仕切る仕切溝１４Ｗに該当する位置にパイル糸を配置せずに敷物１３を製造すればよい。
【００３０】
アキスミンスター織機によって敷物１３を製造する場合、パイル１１は個々別々に植設されるので、その植設作動を個別に停止させることで仕切溝１４Ｗ・１４Ｆを所要の位置に形成することが出来る。
【００３１】
図３と図４に図示するように、各ブロック１５ａ・１５ｂ・１５ｃ・１５ｄ………のパイルの色彩、パイル長、パイル植設密度、カットパイルとループパイルとパイルの形態等は自由に変えることが出来、そうすることによってパイル面に所要の絵柄を描出することが出来る。
図４は、図３に図示する敷物１３の仕切溝１４ａと仕切溝１４ｂと仕切溝１４ｃと仕切溝１４ｄに沿って裁断して取り出されたマット２０を図示している。
【００３２】
敷物１３を仕切溝１４に沿って裁断し、サイズの異なる種々のアクセントラグやマット２０を切り出すとき、その切り出した跡には、その切り出したマット２０に比して遥かに小さい端切れが生じることもある。
しかし、そのような端切れであっても、そのパイル面も仕切溝１４によって複数のブロック１５・１５に仕切られている。
従って、そのような端切れであっても、そのパイル面に残された仕切溝１４に従って更に小サイズのマットとして切り出すことが出来る。
【００３３】
そのようにして発生する極小サイズの最後の端切れが、最小寸法である仕切溝間１４・１４の間隔（Ｌ）の１個のブロック１５に相応するものであっても、その生じた複数枚の端切れの縦横の最小寸法が、１個のブロック１５の仕切溝間１４・１４の間隔（Ｌ）として揃うので、その生じた複数枚の端切れをタイル状に敷き詰めて使用することが出来るので、その端切れは裁断ロスにはならず、本発明の敷物１３は経済的に使用することが出来る。
【００３４】
仕切溝１４によってパイル面に仕切られるブロックは、その縦横の仕切溝の間隔（Ｌ）が３０ｍｍ〜２１０ｍｍであれば、図７に図示されるように縦横の寸法（Ｌ）が異なる数種類のブロック１５Ａ・１５Ｂ・１５Ｃ………に成るものであってもよい。
その場合、好ましくは、その数種類のブロックは、その縦横の寸法（Ｌ１）が最も短い最小ブロックを単位ブロック１５Ｍとし、他のブロック１５Ａ・１５Ｂ・１５Ｃ………の縦横何れか一方或いは双方の寸法（Ｌ）が単位ブロック１５Ｍの縦横の寸法Ｌ１の整数倍になるように、更に好ましくは、その縦横の寸法Ｌ３が他のブロックの縦横の寸法Ｌよりも長くなる最大ブロック１５Ｃを囲む仕切溝１４が他の全てのブロック１５Ｍ・１５Ａ・１５Ｂ………を囲む仕切溝１４に一直線上に続くようにする。
そのようにすると、仕切溝１４に沿って裁断されて取り出されるマット２０は、サイズの異なるタイルを敷き詰めたかの如きモザイクタイル状美観を呈することになる。
図７に図示される敷物１３において、縦横の寸法Ｌ１が最も短い最小ブロックを単位ブロック１５Ｍとし、ブロック１５Ａの縦横何れか一方の寸法Ｌ１は単位ブロック１５Ｍの寸法Ｌ１に等しく、そのブロック１５Ａの縦横何れか他方の寸法Ｌ２は単位ブロック１５Ｍの寸法Ｌ１の２倍になっており、ブロック１５Ｂの縦横双方の寸法Ｌ２は単位ブロック１５Ｍの寸法Ｌ１の２倍になっており、ブロック１５Ｃの縦横双方の寸法Ｌ２は単位ブロック１５Ｍの寸法Ｌ１の４倍になっている。
【００３５】
そのように、パイル面に仕切られるブロックを縦横の寸法（Ｌ）が異なる数種類のブロック１５Ａ・１５Ｂ・１５Ｃ………によって構成すると、その単位ブロック１５Ｍの縦横の寸法Ｌが３０ｍｍであっても、縦横の寸法Ｌが２１０ｍｍのブロック１５も介在するのでパイル面が細かく仕切られているイメージを与えない。
そして、単位ブロック１５Ｍの縦横の寸法Ｌが３０ｍｍであれば、縦横の寸法に２０ｍｍ前後過不足があっても所要の寸法のマット２０の需要に応えることが出来る。
【００３６】
更に好ましくは、図７に図示するように、縦横寸法（Ｌ）が異なる数種類のブロック１５Ａ・１５Ｂ・１５Ｃ………によって構成される敷物１３の何れかのブロック１５Ａ・１５Ｂ・１５Ｃ………、好ましくは縦横寸法Ｌ３が最大となるブロック１５Ｃのパイル面に他の縦横寸法Ｌの短いブロック間（１５Ａ・１５Ｂ）の仕切溝１４から一直線上に続く仕切線２６を描出し、その縦横寸法Ｌ３が最大のブロック１５Ｃのパイル面を複数の区画２７Ａ・２７Ｂに区切ると、その最大のブロック１５Ｃが目立たず、パイル面が仕切溝１４と仕切線２６によって格子状に区切られて清楚な美観が描出される。
その場合、敷物１３やマット２０の美観の点では、仕切線２６に区切られる最も寸法の短い区画２７Ｍの縦横の寸法を、仕切溝１４に仕切られる単位ブロック１５Ｍの縦横の寸法と同じにすることが望まれる。
【産業上の利用可能性】
【００３７】
本発明のマットは、それを色彩やパイル形態等の異なる種々の敷物から切り出し、その切り出した複数枚のマットをキルティングのように繋ぎ合わせてデザイン的に斬新な敷物に仕立てるために利用することも出来る。
【符号の説明】
【００３８】
１１：パイル
１２：ベース地
１３：敷物
１４：仕切溝
１５：ブロック
１６：パイルの根元
１７：基布
１８：裏打材
１９：裁断口
２０：マット
２１：地経糸
２２：地緯糸
２３：パイル糸
２４：パイル糸の裏浮き部分
２５：裏面に浮き出たパイル糸
２６：仕切線
２７：区画
【図１】
2012040060.tif 000003
【図２】
2012040060.tif 000004
【図３】
2012040060.tif 000005
【図４】
2012040060.tif 000006
【図５】
2012040060.tif 000007
【図６】
2012040060.tif 000008
【図７】
2012040060.tif 000009